(57)【特許請求の範囲】
【請求項１】
通信端末装置と情報処理装置とから構成される情報処理システムであって、
上記通信端末装置は、
操作対象である情報処理装置から直接送信される、機能を項目別に表す機能項目情報を受信する機能項目情報受信手段と、
上記機能項目情報に表される項目のうち、上記通信端末装置での操作によって決定された項目に対する機能の処理命令を、上記機能項目情報受信手段が受信した機能項目情報の送信元である情報処理装置へ直接送信する処理命令送信手段と
を有し、
上記情報処理装置は、
上記情報通信装置がもつ複数の機能のうち、上記通信端末装置が処理可能なものとして該情報処理装置での操作によって設定された機能を示す機能情報が記録される記録媒体と、
上記機能情報に示される機能を上記機能項目情報として上記通信端末装置に対して直接送信する機能項目情報送信手段と、
上記通信端末装置から直接送信される上記処理命令を受信する処理命令受信手段と、
上記処理命令に対応する機能を制御することにより上記通信端末装置の指示に従って所定の処理を実行し、上記処理命令に対応する機能が情報表示機能である場合、該情報表示機能の処理により表示すべき情報を上記通信端末装置に送信する制御手段と
を有する情報処理システム。
【請求項２】
上記表示すべき情報は、個人情報である
請求項１に記載の情報処理システム。
【請求項３】
上記個人情報は、電子メール又は住所録を少なくとも含む
請求項２に記載の情報処理システム。
【請求項４】
上記通信端末装置は、
固有のＩＤを、操作対象である情報処理装置に直接送信するＩＤ送信手段
をさらに有し、
上記情報処理装置における上記機能項目情報送信手段は、
上記ＩＤ送信手段が送信したＩＤと、登録されるＩＤとが一致するものとされた場合、該ＩＤの送信元である通信端末装置に対して上記機能項目情報を直接送信する
請求項２に記載の情報処理システム。
【請求項５】
当該情報処理装置がもつ複数の機能のうち、所定の通信端末装置が処理可能なものとして上記情報処理装置での操作によって設定された機能を示す機能情報が記録される記録媒体と、
上記機能情報に示される機能を項目別に表す機能項目情報を、上記通信端末装置に対して直接送信する機能項目情報送信手段と、
上記通信端末装置から直接送信され、該通信端末装置での操作によって上記機能項目情報に表される項目のなかから決定された項目に対する機能の処理命令を受信する処理命令受信手段と、
上記処理命令に対応する機能を制御することにより上記通信端末装置の指示に従って所定の処理を実行し、上記処理命令に対応する機能が情報表示機能である場合、該情報表示機能の処理により表示すべき情報を上記通信端末装置に送信する制御手段と
を有する情報処理装置。
【請求項６】
上記表示すべき情報は、個人情報である
請求項５に記載の情報処理装置。
【請求項７】
情報処理装置における記録媒体に対して、該情報処理装置がもつ複数の機能のうち、所定の通信端末装置が処理可能なものとして上記情報処理装置での操作によって設定された機能を示す機能情報を記録する記録ステップと、
上記機能情報に示される機能を項目別に表す機能項目情報を上記通信端末装置に対して直接送信する送信ステップと、
上記通信端末装置から直接送信され、該通信端末装置での操作によって上記機能項目情報に表される項目のなかから決定された項目に対する機能の処理命令を受信する受信ステップと、
上記処理命令に対応する機能を制御することにより上記通信端末装置の指示に従って所定の処理を実行し、上記処理命令に対応する機能が情報表示機能である場合、該情報表示機能の処理により表示すべき情報を上記通信端末装置に送信する制御ステップと
を有する情報処理方法。
【請求項８】
コンピュータに、
情報処理装置がもつ複数の機能のうち、所定の通信端末装置が処理可能なものとして該情報処理装置での操作によって設定された機能を示す機能情報を記録すること、
上記機能情報に示される機能を項目別に表す機能項目情報を上記通信端末装置に対して直接送信すること、
上記通信端末装置から直接送信され、該通信端末装置での操作によって上記機能項目情報に表される項目のなかから決定された項目に対する機能の処理命令を受信すること、
上記処理命令に対応する機能を制御することにより上記通信端末装置の指示に従って所定の処理を実行し、上記処理命令に対応する機能が情報表示機能である場合、該情報表示機能の処理により表示すべき情報を上記通信端末装置に送信すること
を実行させるためのプログラムを記録したコンピュータ読み取り可能な記録媒体。
【請求項９】
操作対象である情報処理装置から直接送信される、該情報処理装置がもつ複数の機能のうち当該通信端末装置が処理可能なものとして上記情報処理装置での操作によって設定された機能を項目別に表す機能項目情報を受信する機能項目情報受信手段と、
上記機能項目情報に表される項目のうち、当該通信端末装置での操作によって決定された項目に対する機能の処理命令を、上記機能項目情報受信手段が受信した機能項目情報の送信元である情報処理装置へ直接送信する処理命令送信手段と
上記処理命令に対応する機能が情報表示機能である場合、上記情報通信装置から直接送信される、該情報処理装置がもつ情報表示機能の処理により表示すべき情報を受信し表示する情報提示手段と
を有する通信端末装置。
【発明の詳細な説明】
【０００１】
【発明の属する技術分野】
本発明は情報処理システム、情報処理装置及びその方法、記録媒体並びに通信端末装置に関し、例えばディジタル携帯電話機とノートブック型パーソナルコンピュータとから構築される情報処理システムに適用して好適なものである。
【０００２】
【従来の技術】
従来、情報処理システムにおいては、例えばシリアルインターフェイスをディジタル携帯電話機とノートブック型パーソナルコンピュータ（以下、これをノート型パソコンと呼ぶ）とに設け、当該各々のシリアルインターフェイス間をシリアルケーブルで接続することによってディジタル携帯電話機とノート型パソコンとの間で各種データの授受を行い得るようになされている。
【０００３】
【発明が解決しようとする課題】
ところでかかる構成の情報処理システムにおいては、ディジタル携帯電話機とノート型パソコンとの間をシリアルケーブルを介して接続しているため、シリアルケーブルを接続し得ない環境下ではディジタル携帯電話機とノート型パソコンとの間で各種データの授受を行い得ず、ユーザにとって使い勝手が悪いという問題があった。
【０００４】
本発明は以上の点を考慮してなされたもので、一段と操作性の優れた情報処理システム、情報処理装置及びその方法、記録媒体並びに通信端末装置を提案しようとするものである。
【０００５】
【課題を解決するための手段】
かかる課題を解決するため本発明は、通信端末装置と情報処理装置とから構成される情報処理システムであって、通信端末装置は、操作対象である情報処理装置から直接送信される、機能を項目別に表す機能項目情報を受信する機能項目情報受信手段と、機能項目情報に表される項目のうち、通信端末装置での操作によって決定された項目に対する機能の処理命令を、機能項目情報受信手段が受信した機能項目情報の送信元である情報処理装置へ直接送信する処理命令送信手段とを有し、情報処理装置は、情報通信装置がもつ複数の機能のうち、通信端末装置が処理可能なものとして該情報処理装置での操作によって設定された機能を示す機能情報が記録される記録媒体と、機能情報に示される機能を機能項目情報として通信端末装置に対して直接送信する機能項目情報送信手段と、通信端末装置から直接送信される処理命令を受信する処理命令受信手段と、処理命令に対応する機能を制御することにより通信端末装置の指示に従って所定の処理を実行し、当該処理命令に対応する機能が情報表示機能である場合、情報表示機能の処理により表示すべき情報を通信端末装置に送信する制御手段とを有する。
これにより、ユーザに対して情報処理装置を直接操作させることなく、双方向通信を通じて通信端末装置から情報処理装置の機能を操作することができ、かくしてユーザに対する操作性を向上することができる。
【０００６】
【発明の実施の形態】
以下図面について、本発明の一実施の形態を詳述する。
【０００７】
（１）情報処理システムの全体構成
図１において、１は全体として情報処理システムを示し、ノートブック型パーソナルコンピュータ（以下、これをノート型パソコンと呼ぶ）２及びディジタル携帯電話機３とによって構成され、当該ノート型パソコン２とディジタル携帯電話機３との間において、Bluetooth （ブルートゥース：商標）と呼ばれる無線通信規格に準拠した無線通信方式によって相互に通信し得るようになされている。
【０００８】
因みにBluetooth は、標準化団体であるBluetooth SIG (Special Interest Group)によって標準化された近距離無線データ通信規格であり、2.4[GHz]帯のＩＳＭ（Industrial Scientific Medica）帯に帯域幅 1[MHz] のチャネルを７９個設定し、１秒間に１６００回チャネルを切り換える周波数ホッピング方式のスペクトラム拡散通信方式を用い、データ伝送速度１[Mbit/秒] （実効 721[kbit/秒]）で１０[m] のデータ伝送を行う。
【０００９】
（１−１）パーソナルコンピュータの構成
図２に示すように、ノート型パソコン２はＣＰＵ１０、ＲＡＭ（Randam Access Memory）１１、液晶ディスプレイでなる表示部１２、キーボード１３、ハードディスクドライブ（ＨＤＤ）１４、電源制御部１５、Bluetooth 規格に準拠した近距離無線インターフェイス１６、タッチパッド１７及びジョグダイヤル１８がデータバスＢＵＳに接続された構成を有し、当該データバスＢＵＳを介して各回路部間における種々のデータ転送を実現する。
【００１０】
因みにジョグダイヤル１８は、ノート型パソコン２本体の側面に設けられており、回動操作及び押圧操作によってシステムセッティングや各種アプリケーションソフトウェアにおける種々の機能を容易に実現し得る操作手段である。
【００１１】
また、ＨＤＤ１４には、Ｗｉｎｄｏｗｓ９８（ Microsoft社、商標）等のオペレーティングシステムプログラム、及びジョグダイヤルユーティリティプログラム等の各種プログラム、また各種個人情報データベースが格納されている。
【００１２】
ＣＰＵ１０は、ＨＤＤ１４に格納された各種プログラムを適宜読み出し、これをＲＡＭ１１に展開して実行することにより各回路部を制御し、これにより種々の処理を実行するようになされており、当該処理結果を表示部１２に表示する。
【００１３】
ここで、ＣＰＵ１０はノート型パソコン２が起動されたとき、オペレーティングシステムプログラムと共にジョグダイヤルユーティリティプログラムをＲＡＭ１１に展開するようになされている。
【００１４】
これによりＣＰＵ１０は、例えば図３に示すようなジョグダイヤルウィンドウ５０を表示部１２に表示すると共に、ジョグダイヤル１８の回動操作及び押圧操作に応じた処理内容をジョグダイヤルウィンドウ５０を介して仮想的に表示することにより、ユーザに対して操作状況をガイドするようになされている。
【００１５】
すなわちＣＰＵ１０は、ジョグダイヤル１８が回動操作されると、当該回動操作に応じてジョグダイヤルウィンドウ５０のメインメニュー項目５１が回動表示すると共に、ジョグダイヤル１８が押圧操作されると、このときセレクタ（反転表示部分）５２に選定されている項目を確定し、当該項目に対応する処理を実行する。
【００１６】
電源制御部１５は、ノート型パソコン２の各回路部に対する電源供給を制御しており、ノート型パソコン２が休止状態（いわゆるスリープ状態）にあるときも、近距離無線インターフェイス１６に対してだけは常に電源供給を行うことにより、ノート型パソコン２が休止状態にあっても常時動作しているようになされている。
【００１７】
従ってノート型パソコン２は、近距離無線インターフェイス１６を介してディジタル携帯電話機３からの起動信号を受信すると、当該ノート型パソコン２が休止状態にあっても電源制御部１５に起動命令を出力するようになされており、これにより再起動する。
【００１８】
かかるノート型パソコン２は、第三者が所有するディジタル携帯電話機３からの遠隔操作を防止するため、当該ノート型パソコン２の正規ユーザが所持するディジタル携帯電話機３である否かの判断を行う際に用いる識別ＩＤ(IDentifier)を予めＨＤＤ１４に格納しておくようになされている。
【００１９】
またノート型パソコン２は、表示部１２に表示したジョグダイヤルウィンドウ５０のメインメニュー項目５１のうち、ディジタル携帯電話機３から遠隔操作可能な項目を予め設定しておくことにより、当該設定した項目に対応する処理を実行し得るようになされている。
【００２０】
実際上、項目設定を行う場合、ユーザはジョグダイヤル１８を回動操作することにより、ジョグダイヤルウィンドウ５０（図３）のメインメニュー項目５１のうち、詳細設定項目５１Ｄをセレクタ５２に合わせた後、ジョグダイヤル１８を押圧操作する。
【００２１】
これによりノート型パソコン２は、図４（Ａ）に示すように、ジョグダイヤルウィンドウ５０（図３）のメインメニュー項目５１に対応したメインメニュー項目７１が設定項目表示エリアＡＲ１に表示されている項目設定画面４０を表示部１２に表示し、このとき決定項目表示エリアＡＲ２を用いてディジタル携帯電話機３に送信する項目を設定するようにユーザに対して促す。
【００２２】
ここでユーザはジョグダイヤル１８又はマウスパッド１７を介して設定操作を行うようになされており、設定項目表示エリアＡＲ１に表示されているメインメニュー項目７１であるワープロ項目７１Ａ、Ｅ−ｍａｉｌ項目７１Ｂ、ゲーム項目７１Ｃ、詳細設定項目７１Ｄ、ブラウザ起動項目７１Ｅ、住所録項目７１Ｆ及び音量項目７１Ｇのうち、ディジタル携帯電話機３から遠隔操作可能な項目としてＥ−ｍａｉｌ項目７１Ｂ及び住所録項目７１Ｆを決定ボタン４２によって選択した後に決定する。
【００２３】
これによりノート型パソコン２は、図４（Ｂ）に示すように、項目設定画面４０の決定項目表示エリアＡＲ２にＥ−ｍａｉｌ項目７１Ｂ及び住所録項目７１Ｆを複写表示し、ユーザの終了ボタン４３の操作によってディジタル携帯電話機３に送信する項目設定処理を終了する。これによりノート型パソコン２は、このとき項目設定された設定内容をＨＤＤ１４に格納するようになされている。
【００２４】
このようにノート型パソコン２は、識別ＩＤ及びディジタル携帯電話機３から遠隔操作可能な項目設定内容を予めＨＤＤ１４に格納しており、当該格納している状態において、近距離無線インターフェイス１６及びアンテナ１８を介して近傍のBluetooth 対応機器であるディジタル携帯電話機３（図１）との間で無線データ通信を行う。
【００２５】
（１−２）ディジタル携帯電話機の構成
図５に示すように、ディジタル携帯電話機３は、当該ディジタル携帯電話機３全体の動作を制御するＣＰＵ２０に対して、ＥＥＰＲＯＭ(Electronic ErasableProgrammable Reed-Only Memory) ２１、ジョグダイヤル４、複数の操作キー２２、液晶ディスプレイでなる表示部２３、信号処理部２４及びBluetooth 規格に準拠した近距離無線インターフェイス２５が接続され、さらに信号処理部２４にはマイクロホン２６、スピーカ２７、送信部２８及び受信部２９が接続された構成を有する。
【００２６】
因みにディジタル携帯電話機３のジョグダイヤル４は、図２について上述したノート型パソコン２のジョグダイヤル１８と同様に、回動操作及び押圧操作によってシステムセッティングや各種アプリケーションソフトウェアにおける種々の機能を容易に実現し得る操作手段である。
【００２７】
また、ＥＥＰＲＯＭ２１には、ジョグダイヤル状態監視プログラム等の各種プログラム、及びノート型パソコン２と各種情報の授受を行い得るようにするための認証ＩＤ等の個人情報が格納されている。
【００２８】
ＣＰＵ２０は、ＥＥＰＲＯＭ２１に格納された各種プログラムを適宜読み出すことにより各回路部を制御し、これにより種々の処理を実行するようになされており、当該処理に応じて処理結果を表示部２３に表示する。
【００２９】
ここで、ＣＰＵ２０はディジタル携帯電話機３が起動されたとき、ジョグダイヤル状態監視プログラムをＥＥＰＲＯＭ２１から読み出すようになされている。これによりＣＰＵ２０は、ジョグダイヤル状態監視プログラムに従って、５[ms]毎のポーリングによりジョグダイヤル４の回動変化量を検出すると共に、ジョグダイヤル４が押圧操作されたか否かを常時検出するようになされている。
【００３０】
従って、ＣＰＵ２０はジョグダイヤル４又は操作キー２２を介して入力される指示情報に応じた各種情報（例えば入力された電話番号やメニュー項目、或いは発信履歴や電話帳等）を表示部２３に表示する。またＣＰＵ２０は、ジョグダイヤル４又は操作キー２２を介して入力された指示情報に応じて信号処理部２４を制御することにより、発呼処理や終話処理等の指示情報に応じた各種処理を実行する。
【００３１】
実際上ディジタル携帯電話機３は、ＩＳ９５規格に対応したＤＳ（Direct Sequence ：直接拡散）方式によるＣＤＭＡ（Code Division Multiple Access ）方式セルラー携帯電話機であり、信号処理部２４は通話時において、マイクロホン２６から入力される音声信号に対して誤り訂正処理を施した後に畳み込み符号化処理を施し、更にＰＮ（Pseude Noise：疑似雑音）符号を乗算して周波数拡散した後に変調して送信シンボルストリームを生成し、これを送信部２７に入力する。送信部２８は送信シンボルストリームに対してディジタル／アナログ変換を施して送信信号を生成し、当該送信信号を周波数変換処理した後に増幅し、これをアンテナ３０を介して送信する。
【００３２】
一方受信部２９は、アンテナ３０を介して受信した受信信号を増幅して周波数変換処理した後、アナログ／ディジタル変換を施すことによって受信シンボルストリームを生成し、これを信号処理部２４に入力する。信号処理部２４は、受信シンボルストリームに対して復調した後にＰＮ符号を乗算して逆拡散し、更に畳み込み符号を用いて最尤系列推定した後に誤り検出処理を施して音声信号を生成し、これをスピーカ２７を介して出力する。
【００３３】
また信号処理部２４は、ＣＰＵ２０の制御により送信部２８及びアンテナ３０を介して制御信号を基地局（図示せず）に送信して発呼処理を行うとともに、着信信号をアンテナ３０及び受信部２９を介して受信し、ＣＰＵ２０に対して着信通知を行う。
【００３４】
ＣＰＵ２０は信号処理部２４を制御し、送信部２８、受信部２９及びアンテナ３０を介して、公衆回線に接続された他の通信端末との間で無線データ通信を行う。
【００３５】
因みにディジタル携帯電話機３は、ＣＤＭＡ方式としたが、ＧＳＭ(Global System for Mobile Communication)方式やＴＤＭＡ（Time division Multiple Access ）方式であっても良く、さらには次世代携帯電話方式であるＩＭＴ（International Mobile Telecommunication System）−２０００方式であっても良い。
【００３６】
ところで、ディジタル携帯電話機３は、複数の操作キー２２の中に遠隔操作開始キーが設けられており、当該遠隔操作開始キーが押圧されると、ＣＰＵ２０の制御により信号処理部２４と近距離無線インターフェイス２５との間で各種通信データの交換を行う。
【００３７】
これによりディジタル携帯電話機３は、アンテナ３１を介して近傍のBluetooth 対応機器であるノート型パソコン２（図１）との間で無線データ通信を行い得るようになされている。
【００３８】
（２）遠隔操作処理
次に、情報処理システム１におけるディジタル携帯電話機３からノート型パソコン２への遠隔操作処理のシーケンスを図６に示す。
【００３９】
図６に示すように、ステップＳＰ１において、ディジタル携帯電話３のＣＰＵ２０は、「遠隔操作開始キー」が押圧されると、起動信号を生成すると共に、ディジタル携帯電話機３固有の認証ＩＤをＥＥＰＲＯＭ２１から読み出し、これらを近距離無線インターフェイス２４を介してノート型パソコン２に送信する。
【００４０】
ステップＳＰ２において、ノート型パソコン２のＣＰＵ１０は、近距離無線インターフェイス１６を介してディジタル携帯電話機３からの起動信号を受信すると、休止状態の場合には起動し、ＨＤＤ１４に予め格納されている識別ＩＤ（予め登録されたディジタル携帯電話機３固有のＩＤ）を読み出し、ディジタル携帯電話機３から受信した認証ＩＤと一致するか否かを判断する。
【００４１】
ここで、ノート型パソコン２のＣＰＵ１０は、ＨＤＤ１４に予め格納されている識別ＩＤと、ディジタル携帯電話機３から受信した認証ＩＤとを比較し、その比較結果が一致しなかった場合、ＨＤＤ１４に格納されている各種個人情報を扱うことができない第三者からの不正アクセスであると判断し、このとき認証ＩＤの送信元であるディジタル携帯電話機３に対して近距離無線通信を拒否する旨を通知する。
【００４２】
これに対して、ノート型パソコン２のＣＰＵ１０は、ＨＤＤ１４に予め格納されている認証ＩＤと、ディジタル携帯電話機３から受信した認証ＩＤとを比較し、その比較結果が一致した場合、ＨＤＤ１４に格納されている各種個人情報を扱うことができる正規アクセスであると判断する。
【００４３】
この場合ノート型パソコン２のＣＰＵ１０は、ステップＳＰ３において、予め図４において上述した項目設定画面４０で設定された設定内容（Ｅ−ｍａｉｌ項目７１Ｂ及び住所録項目７１Ｆ）に基づいて項目データＤ１０を生成し、これを近距離無線インターフェイス１６を介してディジタル携帯電話機３に送信する。
【００４４】
このときノート型パソコン２のＣＰＵ１０は、図７（Ａ）に示すように、ジョグダイヤルウィンドウ５０のメインメニュー項目５１のうち、Ｅ−ｍａｉｌ項目５１Ｂにセレクタ５２が選定されるように移動させる。
【００４５】
ステップＳＰ４において、ディジタル携帯電話機３のＣＰＵ２０は、近距離無線インターフェイス２５を介して項目データＤ１０を受信すると、当該受信した項目データＤ１０に基づいて、図７（Ｂ）に示すように、Ｅ−ｍａｉｌ項目６１Ｂ及び住所録項目６１Ｆからなるメニュー画面６０を表示部２３に表示する。
【００４６】
このときディジタル携帯電話機３のＣＰＵ２０は、ノート型パソコン２のジョグダイヤルウィンドウ５０のセレクタ５２に選定されているＥ−ｍａｉｌ項目５１Ｂと同様になるように、メニュー画面６０の斜線で示されたセレクタ６２をＥ−ｍａｉｌ項目６１Ｂに選定して表示部２３に表示する。
【００４７】
ステップＳＰ５において、ディジタル携帯電話機３のＣＰＵ２０は、ユーザにより例えばジョグダイヤル４（図１）が本体ケース下部方向に１クリック分回動操作されると、図８（Ａ）に示すように、メニュー画面６０のセレクタ６２を矢印Ａ方向に１項目分移動表示し、さらにそのときの操作内容（矢印Ａ方向に１コマ分移動）を操作データＤ１１として生成すると共に、このときセレクトされている項目名（「住所録」）に対応するセレクトデータＤ１２を生成し、これらを近距離無線インターフェイス２５を介してノート型パソコン２に送信する。
【００４８】
ステップＳＰ６において、ノート型パソコン２のＣＰＵ１０は、近距離無線インターフェイス１６を介して操作データＤ１１及びセレクトデータＤ１２を受信すると、当該受信した操作データＤ１１に基づいて、図８（Ｂ）に示すように、ジョグダイヤルウィンドウ５０のメニュー項目５１を矢印Ｂ方向に１コマ分移動する。
【００４９】
このときノート型パソコン２のＣＰＵ１０は、矢印Ｂ方向に１コマ分移動したことによってセレクタ５２に選定されているメニュー項目名（この場合「ワープロ」）がセレクトデータＤ１２の項目名（すなわち「住所録」）と一致するか否かを判断する。このときセレクトデータＤ１２の項目名（すなわち「住所録」）と一致していなかった場合、ノート型パソコン２のＣＰＵ１０は、セレクトデータＤ１２の項目名（すなわち「住所録」）と一致するまでジョグダイヤルウィンドウ５０のメインメニュー項目５１を矢印Ｂ方向に移動させる。
【００５０】
このようにしてノート型パソコン２は、図９に示すように、ディジタル携帯電話機３において操作された内容と同様の操作をジョグダイヤルウィンドウ５０に反映するようになされている。
【００５１】
このようにディジタル携帯電話機３は、ジョグダイヤル４（図１）を操作する度にその操作内容を操作データＤ１１及びセレクトデータＤ１２として送信するようになされており、ノート型パソコン２は、ディジタル携帯電話機３の操作と連動してジョグダイヤルウィンドウ５０の回動表示を実行し得るようになされている。
【００５２】
ステップＳＰ７において、ディジタル携帯電話機３のＣＰＵ２０は、住所録項目５１Ｆが選定されている状態（図９（Ｂ））で、ユーザによってジョグダイヤル４（図１）が押圧操作されると、その操作内容（押圧操作）に対応する操作確定データＤ１３を生成し、これを近距離無線インターフェイス２５を介してノート型パソコン２に送信する。
【００５３】
ステップＳＰ８において、ノート型パソコン２のＣＰＵ１０は、近距離無線インターフェイス１６を介して操作確定データＤ１３を受信すると、当該受信した操作確定データＤ１３に応じて、ＨＤＤ１４から個人情報である住所録データを読み出し、当該読み出した住所録データをＲＡＭ１１に展開することにより、表示部１２に住所録データベースを表示する。
【００５４】
さらにノート型パソコン２のＣＰＵ１０は、読み出した住所録データのうち、人物名のレコードのみを抽出し、これをレコードデータＤ１４として近距離無線インターフェイス１６を介してディジタル携帯電話機３に送信する。
【００５５】
ステップＳＰ９において、ディジタル携帯電話機３のＣＰＵ２０は、近距離無線インターフェイス２５を介してレコードデータＤ１４を受信すると、当該受信したレコードデータＤ１４に基づいて、表示部２３に人物名を羅列して表示する。
【００５６】
ディジタル携帯電話機３のＣＰＵ２０は、人物名を表示部２３に羅列して表示した状態でジョグダイヤル４（図１）の回動操作に応じて羅列した人物名をスクロール表示する。
【００５７】
ここで、ユーザが住所を知りたい所望の人物名をセレクタ６２で選定して押圧操作すると、ディジタル携帯電話機３のＣＰＵ２０は、このとき選定されている人物名に対応する選択データＤ１５を生成し、これを近距離無線インターフェイス２５を介してノート型パソコン２に送信する。
【００５８】
ステップＳＰ１０において、ノート型パソコン２のＣＰＵ１０は、近距離無線インターフェイス１６を介して選択データＤ１５を受信すると、当該受信した選択データＤ１５に対応する住所レコードデータＤ１６をＨＤＤ１４の住所録データベースから読み出し、これを近距離無線インターフェイス１６を介してディジタル携帯電話機３に送信する。
【００５９】
ステップＳＰ１１において、ディジタル携帯電話機３のＣＰＵ２０は、近距離無線インターフェイス２５を介して住所レコードデータＤ１６を受信すると、当該受信した住所レコードデータＤ１６に基づく住所を表示部２３に表示する。
【００６０】
このようにディジタル携帯電話機３は、ノート型パソコン２のＨＤＤ１４から読み出されたユーザ所望の住所レコードデータＤ１６を近距離インターフェイス２５を介して受信し、これを住所として表示部２３に可視表示することにより、ノート型パソコン２を直接操作することなく、所望の人物の住所をユーザに対して通知させることができる。
【００６１】
従って、ディジタル携帯電話機３は、ユーザによって遠隔操作開始キーが押圧されるだけでノート型パソコン２に対する遠隔操作のためのリモートコントローラとして機能し得るようになされている。
【００６２】
（３）実施の形態の動作及び効果
以上の構成において、情報処理システム１においては、ディジタル携帯電話機３が操作対象であるノート型パソコン２から当該ノート型パソコン２の各種機能を表す機能項目情報を受信し、当該受信した機能項目情報に基づいてメニュー画面６０を表示することにより、ユーザに対してノート型パソコン２の各種機能を表す機能項目名を通知する。
【００６３】
これによりディジタル携帯電話機３を操作するユーザは、当該ディジタル携帯電話機３の表示部２３に表示されたメニュー画面６０（Ｅ−ｍａｉｌ項目６１Ｂ及び住所録項目６１Ｆ）を目視することにより、ノート型パソコン２を遠隔操作し得る機能の内容を容易に認識することができる。
【００６４】
ディジタル携帯電話機３は、ユーザによる操作手段（ジョグダイヤル４）の入力操作に応じて決定された機能項目名に対応する処理命令（操作データＤ１１、セレクトデータＤ１２、操作確定データＤ１３、選択データＤ１５）を生成し、これを近距離無線インターフェイス１６を介して直接ノート型パソコン２に送信する。
【００６５】
ノート型パソコン２は、ディジタル携帯電話機３から送信された処理命令（操作データＤ１１、セレクトデータＤ１２、操作確定データＤ１３、選択データＤ１５）を受信し、当該処理命令に対応する所定の処理（ステップＳＰ６、ステップＳＰ８、ステップＳＰ１０）を実行する。
【００６６】
これによりディジタル携帯電話機３は、ユーザがノート型パソコン２を直接操作することなく、かつユーザに対してディジタル携帯電話機３の操作状況を把握させながらノート型パソコン２を遠隔操作することができ、これにより、あたかもノート型パソコン２のリモートコントローラとして機能することができる。
【００６７】
以上の構成によれば、情報処理システム１は、有線接続することなく、ディジタル携帯電話機３によってノート型パソコン２を遠隔操作することができ、かくしてユーザに対する操作性を一段と向上させることができる。
【００６８】
（４）他の実施の形態
なお上述の実施の形態においては、操作手段としてのジョグダイヤル４を用いてメニュー画面６０に表示された各項目を操作する場合について述べたが、本発明はこれに限らず、例えば携帯電話機に設けられている左右又は上下の方向に操作するための方向操作キー等の他の種々の操作手段を用いるようにしても良い。この場合、上述の実施の形態と同様の効果を得ることができる。
【００６９】
また上述の実施の形態においては、ノート型パソコン２がディジタル携帯電話機３から送信された操作データＤ１１及びセレクトデータＤ１２を受信する度に、当該操作データＤ１１及びセレクトデータＤ１２に基づいて、ディジタル携帯電話機３において行われた操作と連動して処理を実行する場合について述べたが、本発明はこれに限らず、ディジタル携帯電話機３から送信された操作データＤ１１及びセレクトデータＤ１２をＨＤＤ１４に一旦格納しておき、操作内容が押圧操作（つまり実行命令としての操作確定データＤ１３）である操作確定データＤ１３を受信したとき、このときＨＤＤ１４に一旦格納していた操作データＤ１１及びセレクトデータＤ１２に基づいて、受信した順に処理を実行するようにしても良い。
【００７０】
この場合ノート型パソコン２は、ディジタル携帯電話機３において操作された内容と逐一連動して処理を実行しなくとも、最終的にはディジタル携帯電話機３において操作された内容と同様の処理を実行することになる。従ってノート型パソコン２は、逐一連動して処理を実行する際の消費電力を回避することができる。
【００７１】
さらに上述の実施の形態においては、ディジタル携帯電話機３が操作対象であるノート型パソコン２から直接送信された当該ノート型パソコン２の機能を表す機能項目情報（項目データＤ１０）を受信する機能項目情報受信手段をＣＰＵ２０、近距離無線インターフェイス２５及びアンテナ３１によって受信する場合について述べたが、本発明はこれに限らず、他の種々の回路構成によってディジタル携帯電話機３がノート型パソコン２からの機能項目情報を受信するようにしても良い。
【００７２】
さらに上述の実施の形態においては、ディジタル携帯電話機３が機能項目情報（項目データＤ１０）に対応する処理命令（操作データＤ１１、セレクトデータＤ１２、操作確定データＤ１３、選択データＤ１５）をユーザの入力操作に従ってノート型パソコン２へ直接送信する処理命令送信手段をＣＰＵ２０、近距離無線インターフェイス２５及びアンテナ３１によって送信する場合について述べたが、本発明はこれに限らず、他の種々の回路構成によってディジタル携帯電話機３がノート型パソコン２へ処理命令を直接送信するようにしても良い。
【００７３】
さらに上述の実施の形態においては、ノート型パソコン２が持つ機能を表す機能項目情報（項目データＤ１０）をディジタル携帯電話機３に対して直接送信する機能項目情報送信手段をＣＰＵ１０、近距離無線インターフェイス１６及びアンテナ１９によって送信する場合について述べたが、本発明はこれに限らず、他の種々の回路構成によってノート型パソコン２が機能項目情報をディジタル携帯電話機３に対して直接送信するようにしても良い。
【００７４】
さらに上述の実施の形態においては、ディジタル携帯電話機３から直接送信された機能項目情報（項目データＤ１０）に対応する処理命令（操作データＤ１１、セレクトデータＤ１２、操作確定データＤ１３、選択データＤ１５）を受信する処理命令受信手段をＣＰＵ１０、近距離無線インターフェイス１６及びアンテナ１９によって受信する場合について述べたが、本発明はこれに限らず、他の種々の回路構成によってディジタル携帯電話機３から直接送信された機能項目情報に対応する処理命令を受信するようにしても良い。
【００７５】
さらに上述の実施の形態においては、処理命令（操作データＤ１１、セレクトデータＤ１２、操作確定データＤ１３、選択データＤ１５）に対応する機能を制御する制御手段をＣＰＵ１０によって実行する場合について述べたが、本発明はこれに限らず、他の種々の回路構成によって処理命令に対応する機能を制御するようにしても良い。
【００７６】
さらに上述の実施の形態においては、Bluetooth 準拠の近距離無線通信方式を用いてディジタル携帯電話機３とノートパソコン２とを接続する場合について述べたが、本発明はこれに限らず、例えばＩＥＥＥ（Institute of Electrical and Electronics Engineers ）８０２’１１Ｂで規定された Wireless ＬＡＮ(Local Area Network)等の近距離無線通信や、ＩｒＤＡ（Infrared Data Association ）規格の赤外線通信等、他の種々の無線通信手段を用いてディジタル携帯電話機３とノートパソコン２とを接続するようにしても良い。
【００７７】
さらに上述の実施の形態においては、情報処理装置としてのノート型パソコン２を通信端末装置としてのディジタル携帯電話機３によって遠隔操作する場合について述べたが、本発明はこれに限らず、例えばデスクトップ型パーソナルコンピュータやＣＤ(Compact Disk)プレーヤ等の他の種々の情報処理装置を例えばＰＤＡ（Personal Digital Assistant）等の他の種々の通信端末装置によって遠隔操作するようにしても良い。
【００７８】
さらに上述の実施の形態においては、ノート型パソコン２のＣＰＵ１０がＨＤＤ１４に予め格納されたジョグダイヤルユーティリティプログラムに従って、ディジタル携帯電話機３で操作された内容と同様の処理を実行する場合について述べたが、本発明はこれに限らず、様々なプログラム格納媒体（例えばフロッピーディスク等）にジョグダイヤルユーティリティプログラムを格納しておき、当該プログラム格納媒体を用いてジョグダイヤルユーティリティプログラムをノートパソコン２にインストールすることにより、ディジタル携帯電話機３で操作された内容と同様の処理を実行するようにしても良い。
【００７９】
この場合、ジョグダイヤルユーティリティプログラムをノート型パソコン２にインストールし、当該ディジタル携帯電話機３によって実行可能な状態とするためのプログラム格納媒体としては、例えばフロッピディスク、ＤＶＤ−ＲＯＭ（Digital Video Disc-Read Only Memory ）等のパッケージメディアのみならず、プログラムが一時的もしくは永続的に格納される半導体メモリや磁気ディスク等で実現するようにしても良い。また、これらプログラム格納媒体にジョグダイヤルユーティリティプログラムを格納する手段としては、ローカルエリアネットワークやインターネット、ディジタル衛星放送等の有線及び無線通信媒体を使用するようにしても良く、ルータやモデム等の各種インターフェイスを介在して格納するようにしても良い。
【００８０】
【発明の効果】
上述のように本発明によれば、通信端末装置は、操作対象である情報処理装置から直接送信される、機能を項目別に表す機能項目情報を受信する機能項目情報受信手段と、機能項目情報に表される項目のうち、通信端末装置での操作によって決定された項目に対する機能の処理命令を、機能項目情報受信手段が受信した機能項目情報の送信元である情報処理装置へ直接送信する処理命令送信手段とを有し、情報処理装置は、情報通信装置がもつ複数の機能のうち、通信端末装置が処理可能なものとして該情報処理装置での操作によって設定された機能を示す機能情報が記録される記録媒体と、機能情報に示される機能を機能項目情報として通信端末装置に対して直接送信する機能項目情報送信手段と、通信端末装置から直接送信される処理命令を受信する処理命令受信手段と、処理命令に対応する機能を制御することにより通信端末装置の指示に従って所定の処理を実行し、当該処理命令に対応する機能が情報表示機能である場合、情報表示機能の処理により表示すべき情報を通信端末装置に送信する制御手段とを有する。
これにより、ユーザに対して情報処理装置を直接操作させることなく、双方向通信を通じて通信端末装置から情報処理装置の機能を操作することができ、かくしてユーザに対する操作性を向上することができる。
【図面の簡単な説明】
【図１】本発明による情報処理システムの全体構成を示す略線図である。
【図２】ノートブック型パーソナルコンピュータの回路構成を示すブロック図である。
【図３】ジョグダイヤルウィンドウ表示例を示す略線図である。
【図４】項目設定画面例を示す略線図である。
【図５】ディジタル携帯電話機の回路構成を示すブロック図である。
【図６】遠隔操作処理を示すシーケンスチャートである。
【図７】ディジタル携帯電話機のメニュー画面とノートブック型パーソナルコンピュータのジョグダイヤルウィンドウとの動作状況（１）を示す略線図である。
【図８】ディジタル携帯電話機のメニュー画面とノートブック型パーソナルコンピュータのジョグダイヤルウィンドウとの動作状況（２）を示す略線図である。
【図９】ディジタル携帯電話機のメニュー画面とノートブック型パーソナルコンピュータのジョグダイヤルウィンドウとの動作状況（３）を示す略線図である。
【符号の説明】
１……情報処理システム、２……ノートブック型パーソナルコンピュータ、３……ディジタル携帯電話、４……ジョグダイヤル、１０……ＣＰＵ、１１……ＲＡＭ、１２……表示部、１３……キーボード、１４……ＨＤＤ、１５……電源制御部、１６……近距離無線インターフェイス、１８……ジョグダイヤル、１９、３０、３１……アンテナ、２０……ＣＰＵ、２１……ＥＥＰＲＯＭ、２２……操作キー、２３……表示部、２４……信号処理部、２５……近距離無線インターフェイス、２６……マイクロホン、２７……スピーカ、２８……送信部、２９……受信部。
【図１】
0004362748.tif 000002
【図２】
0004362748.tif 000003
【図３】
0004362748.tif 000004
【図４】
0004362748.tif 000005
【図５】
0004362748.tif 000006
【図６】
0004362748.tif 000007
【図７】
0004362748.tif 000008
【図８】
0004362748.tif 000009
【図９】
0004362748.tif 000010